(57)【要約】  本発明は、流体を加熱する電気装置（１）に関し、当該電気装置は、流体のための入口（５ａ）および出口（５ｂ）を含み、流体循環チャンバを画定する少なくとも１つの加熱ハウジング（３）と、前記加熱ハウジング（３）内において流体と接触して配置された少なくとも１つの電気浸漬ヒータ（７）と、１又は複数の前記電気浸漬ヒータを管理する電子管理回路（９）と、を備え、前記電子管理回路（９）は、前記流体循環チャンバの外側において、前記少なくとも１つの加熱ハウジング（３）の壁に接触して配置される。
2017535472.tif 000002
【特許請求の範囲】
【請求項１】
−  流体のための入口（５ａ）および出口（５ｂ）を含み、流体循環チャンバを画定する少なくとも１つの加熱ハウジング（３）と、
−  前記加熱ハウジング（３）内において流体と接触して配置された少なくとも１つの電気浸漬ヒータ（７）と、
−  １又は複数の前記電気浸漬ヒータを管理する電子管理回路（９）と、を備え、
前記電子管理回路（９）は、前記流体循環チャンバの外側において、前記少なくとも１つの加熱ハウジング（３）の壁に接触して配置されることを特徴とする電気流体加熱装置（１）。
【請求項２】
前記電子管理回路（９）の動作温度が１又は複数の前記加熱ハウジング（３）を出る前記流体の温度よりも高いことを特徴とする請求項１に記載の加熱装置（１）。
【請求項３】
前記少なくとも１つの加熱ハウジング（３）の少なくとも１つがプラスチックで作られていることを特徴とする請求項１または２に記載の加熱装置（１）。
【請求項４】
前記少なくとも１つの加熱ハウジング（３）の少なくとも１つが金属で作られていることを特徴とする請求項１または２に記載の加熱装置（１）。
【請求項５】
前記電子管理回路（９）と前記少なくとも１つの加熱ハウジング（３）の壁との間に配置された電気絶縁材料からなる追加の層を備えることを特徴とする請求項４に記載の加熱装置（１）。
【請求項６】
前記流体循環チャンバの内側において、前記少なくとも１つの加熱ハウジング（３）の壁上に配置される複数の流体流動攪拌器（１５）を備えることを特徴とする請求項１〜５のいずれか一項に記載の加熱装置（１）。
【請求項７】
電気浸漬ヒータ（７）が配置される単一の加熱ハウジング（３）を備えることを特徴とする、請求項１〜６のいずれか一項に記載の加熱装置（１）。
【請求項８】
第１の加熱ハウジング（３ａ）および第２の加熱ハウジング（３ｂ）と、
それらの各々において配置される電気浸漬ヒータ（７）と、を備え、
前記第１の加熱ハウジング（３ａ）および前記第２の加熱ハウジング（３ｂ）は、前記流体が一方の加熱チャンバから他方の加熱チャンバへと通過することができるように、連絡オリフィス（１７）を介して接続され、
前記第１の加熱ハウジング（３ａ）は流体入口（５ａ）を有し、前記第２の加熱ハウジング（３ｂ）は流体出口（５ｂ）を有することを特徴とする請求項１〜６のいずれか一項に記載の加熱装置（１）。
【請求項９】
前記複数の電気浸漬ヒータ（７）は、前記流体循環チャンバの外側において前記加熱ハウジング（３ａ、３ｂ）のうちの１つの壁に接触して配置される同じ電子管理回路（９）に接続されることを特徴とする請求項８に記載の加熱装置（１）。
【請求項１０】
前記電子管理回路（９）は、流体入口（５ａ）を有する前記第１の加熱ハウジング（３）の前記壁に配置されていることを特徴とする請求項７または８に記載の加熱装置（１）。
【請求項１１】
前記加熱ハウジング（３）の前記壁は、前記電子管理回路（９）に接触する領域においてその厚さが薄くなっている部分を含むことを特徴とする請求項１〜１０のいずれか一項に記載の加熱装置（１）。
【発明の詳細な説明】
【技術分野】
【０００１】
本発明は、電気流体加熱装置の分野に関し、より詳細には、電気自動車またはハイブリッド自動車のための電気加熱装置に関する。
【背景技術】
【０００２】
電気車両またはハイブリッド車両の分野では、１または複数の電気加熱装置の追加によって、車両を、特に車内を、加熱するための燃焼機関によって提供される熱入力を補うことが知られている。そのような電気加熱装置は、車内用の空気を暖めるため或いはバッテリーなどの電気車両の要素さえも温めるために使用されうる熱伝達流体を加熱して、それらが寒い環境の中でそれらの最適な温度に到達するのを助けるために、熱管理回路に含まれていてもよい。
【発明の概要】
【発明が解決しようとする課題】
【０００３】
電気加熱装置は、チャンバ内の流体と接触して配置された１つ以上の浸漬ヒータを、特にセラミックヒータを、備えてもよい。これらの浸漬ヒータは、一般に、浸漬ヒータに供給される電力を管理することを可能にする、特にそれらのオン及びオフを切り替えるための、構成要素を含む電子管理回路に接続される。ジュール効果により、これらの構成要素は熱を発生し、それは、それらの機能および耐用年数に有害であり、ひいては電気加熱装置の耐用年数に有害でありうる。
【０００４】
本発明の目的の１つは、従来技術の欠点を少なくとも部分的に克服し、改善された電気加熱装置を提案することである。
【課題を解決するための手段】
【０００５】
そのため、本発明は、
−  流体の入口及び出口を有し、流体循環チャンバを画定する少なくとも１つの加熱ハウジングと、
−  前記加熱ハウジング内に前記流体と接触して配置された少なくとも１つの電気浸漬ヒータと、
−  １又は複数の前記電気浸漬ヒータを管理するための電子管理回路と、を備え、
前記電子管理回路は、前記流体循環チャンバの外側で、少なくとも１つの加熱ハウジングの壁に接触して配置される電気流体加熱装置に関する。
【０００６】
電子管理回路が加熱ハウジングの壁に接触して配置されるという事実は、前記壁にわたる流体によって前記回路を冷却することを可能にする。
【０００７】
本発明の一態様によれば、電子管理回路の動作温度は、１又は複数の加熱ハウジングを出る流体の温度よりも高い。
【０００８】
電子管理回路の構成要素は、流体の温度よりも高い動作温度を有しうるので、前記構成要素は効率的に冷却されうる。
【０００９】
本発明の別の態様によれば、少なくとも１つの加熱ハウジングがプラスチックにより作られる。
【００１０】
本発明の別の態様によれば、少なくとも１つの加熱ハウジングが金属により作られる。
【００１１】
本発明の別の態様によれば、加熱装置は、電子管理回路と少なくとも１つの加熱ハウジングの壁との間に配置された電気絶縁材料により作られる追加の層を含む。
【００１２】
本発明の別の態様によれば、加熱装置は、流体循環チャンバの内側において、少なくとも１つの加熱ハウジングの少なくとも１つの壁に配置された複数の流体流動攪拌器を含む。
【００１３】
これらの攪拌器の存在は、流体の流れのより良好な均一化を可能にし、また電子管理回路に沿った交換面の増大を可能にする。
【００１４】
本発明の別の態様によれば、加熱装置は、少なくとも１つの電気浸漬ヒータの外壁に配置された複数の流体流動攪拌器を含む。
【００１５】
本発明の別の態様によれば、加熱装置は、電気浸漬ヒータが配置された単一の加熱ハウジングを有する。
【００１６】
本発明の別の態様によれば、加熱装置は、第１の加熱ハウジング及び第２の加熱ハウジングを備え、それらの各々に電気浸漬ヒータが配置されており、流体が一方の加熱チャンバから他方の加熱チャンバへと通過することができるように前記第１の加熱ハウジング及び前記第２の加熱ハウジングは連絡オリフィスを介して接続されており、前記第１の加熱ハウジングは流体入口を含み、前記第２の加熱ハウジングは流体出口を含む。
【００１７】
本発明の別の態様によれば、複数の電気浸漬ヒータは、流体循環チャンバの外側で、加熱ハウジングの１つの壁に接触して配置された同じ電子管理回路に接続される。
【００１８】
本発明の別の態様によれば、電子管理回路は、流体入口を含む第１の加熱ハウジングの壁上に配置される。
【００１９】
本発明の別の態様によれば、加熱ハウジングの壁は、それが前記電子管理回路と接触する領域においてその厚さが薄くなっている。
【００２０】
本発明の更なる特徴及び利点は、非限定的な例示的な実施例によって与えられる以下の説明及び添付の図面を読むことでより明確に明らかになるであろう。
【図面の簡単な説明】
【００２１】
【図１】図１は、第１の実施形態による電気加熱装置の概略図を示す。
【図２】図２は、第２の実施形態による電気加熱装置の概略図を示す。
【図３】図３は、第３の実施形態による電気加熱装置の概略図を示す。
【発明を実施するための形態】
【００２２】
別々の図において、同一の要素には同一の参照番号が付されている。
【００２３】
電気加熱装置１を表す図１に示すように、電気加熱装置１は、
−  流体が循環する少なくとも１つの加熱ハウジング３であって、前記流体用の入口５ａ及び出口５ｂを有し、流体循環チャンバを形成する加熱ハウジング３と、
−  少なくとも１つの加熱ハウジング３内において流体と接触して配置される少なくとも１つの電気浸漬ヒータ７と、
−  １又は複数の電気浸漬ヒータ用の電子管理回路９と、を備える。
【００２４】
電気加熱装置１は、その様々な構成要素を取り囲むボックス２０であって、加熱される流体の吸入および排出も可能にするボックス２０も備える。
【００２５】
例えばセラミックス製の電気浸漬ヒータ７は、加熱ハウジング３を貫通して流体循環チャンバに挿入される部分と、このために設けられた開口部で加熱ハウジング３から出る部分と、を有する。この開口部では、例えば電気浸漬ヒータ７と加熱ハウジング３との間の接触点における封（ｓｅａｌ）によって或いは溶着などの他の既知の手段によって、密閉がもたらされている。
【００２６】
電気浸漬ヒータ７は、ケーブルやフレキシブル接続回路等の接続装置１３とコネクタ１１とを介して、電子管理回路９に接続されている。
【００２７】
電子管理回路９に関しては、流体循環チャンバの外側において、少なくとも１つの加熱ハウジング３の壁に接触して配置されている。電気加熱装置１を通過する流体は、電子管理回路９の電子構成要素の動作温度よりも低温でありうるので、流体は、加熱ハウジング３の壁を介して前記電子管理回路９を冷却しうる。
【００２８】
加熱ハウジング３は、とりわけプラスチックまたは金属で作られてもよい。後者において、加熱ハウジング３が金属製の場合、短絡の可能性を避けるように、電子管理回路９と加熱ハウジング３の前記壁との間に電気絶縁材料で作られた追加層（図示せず）が配置される。
【００２９】
図２に示すように、加熱装置１は、複数の流体流動攪拌器１５を備えてもよい。これらの攪拌器１５は、流体循環チャンバの内側において加熱ハウジング３の壁上に配置され、二重の利点を有する。それらは、流体の流れのより良好な均一化を可能にし、したがって流体のより良い加熱を可能にする。またそれらは、電子管理回路９に沿って接触面を増大させ、流体によるそれの冷却を改善する。
【００３０】
代替の実施形態（図示せず）によれば、複数の流体流動攪拌器１５は、電気浸漬ヒータ７の外壁上、すなわち流体と接触する壁に配置される。
【００３１】
これらの攪拌器１５は、流体の流れのガイドとしての役割も果たしうる。
【００３２】
熱管理回路９と流体との間の熱交換をさらに改善するために、加熱ハウジング３の壁は、図２に示すように、それが前記電子管理回路９と接触する領域においてその厚みが薄く成っている部分を含んでいてもよい。
【００３３】
図１および図２に示す第１の実施形態によれば、電気加熱装置１は、電気浸漬ヒータ７が配置された単一の加熱ハウジング３を備える。
【００３４】
図３に示す第２の実施形態によれば、加熱装置３は、第１の加熱ハウジング３ａ及び第２の加熱ハウジング３ｂを備える。第１の加熱ハウジング３ａは流体入口５ａを有し、第２の加熱ハウジング３ｂは流体出口５ｂを有する。第１および第２の加熱ハウジング３ａ、３ｂの循環チャンバは、流体が一方の加熱ハウジングから他方の加熱ハウジングへと通過できるように、連絡オリフィス１７を介して互いに接続されている。加熱ハウジング３ａ、３ｂの各々は、さらに電気浸漬ヒータ７を含む。
【００３５】
第１及び第２の加熱ハウジング３ａ、３ｂは、例えば互いに隣接する２つの独立したハウジングとして、共通の連絡オリフィス１７によって接続されてもよい。第１及び第２の加熱ハウジング３ａ、３ｂは、包括的ハウジング（ｇｌｏｂａｌ  ｈｏｕｓｉｎｇ）から形成され、２つの流体循環チャンバを形成するように連絡オリフィス１７を含む内壁によって２つに分割されてもよい。
【００３６】
この第２の実施形態では、複数の電気浸漬ヒータ７は、同じ電子管理回路９に接続されている。電子管理回路９は、流体循環チャンバの外側において、第１または第２の加熱ハウジング３ａ、３ｂの一方の壁に接触して配置されている。好ましくは、その冷却を容易にするために、電子管理回路９は、その流体循環チャンバの外側において、流体入口５ａを含む第１の加熱ハウジング３ａの壁上に配置される。この位置決めにより、第１の加熱ハウジング３ａの循環チャンバの入口におけるより低温の流体は、電子管理回路９を冷却するために使用される。
【００３７】
従って、電子管理回路９のその位置決めのおかげで、電子管理回路９を最適動作温度に保つことができ、それにより加熱装置１の耐用年数を延ばすことができることが明らかに分かる。
【図１】
2017535472.tif 000003
【図２】
2017535472.tif 000004
【図３】
2017535472.tif 000005
【国際調査報告】
2017535472.tif 000006
2017535472.tif 000007
2017535472.tif 000008
2017535472.tif 000009